(57)【特許請求の範囲】
【請求項１】
新しいアクセス層（ＡＳ）サブレイヤに適用されるデータ伝送方法であって、
第１のフローＩＤを有するサービス品質フロー（ＱｏＳ  Ｆｌｏｗ）を受信することと、
前記サービス品質フローを少なくとも１つのデータ無線ベアラ（ＤＲＢ）にマッピングして、プロトコルデータユニット（ＰＤＵ）パッケージを取得することであって、前記プロトコルデータユニットパッケージには、前記サービス品質フローに対応する第２のフローＩＤが搬送され、前記第１のフローＩＤは、前記第２のフローＩＤ及びデータ無線ベアラＩＤの組み合わせと１対１の対応関係を有することと、
前記プロトコルデータユニットパッケージを送信することとを含む、前記データ伝送方法。
【請求項２】
前記サービス品質フローを少なくとも１つのデータ無線ベアラにマッピングして、プロトコルデータユニットパッケージを取得することは、
前記１対１の対応関係に従って、各前記サービス品質フローを１つの且つ１つだけのデータ無線ベアラにマッピングすることと、
前記１対１の対応関係に従って、同じデータ無線ベアラで搬送される異なるサービス品質フローに、異なる第２のフローＩＤを割り当て、前記ＰＤＵパッケージ中の前記第２のフローＩＤを記録する第２のフローＩＤフィールドの長さはｎビットであり、ｎは、２＾ｎが、前記データ無線ベアラで搬送できる最大サービス品質フロー数の整数中の最小値より大きいか等しいことを満足することとを含む、
請求項１に記載のデータ伝送方法。
【請求項３】
前記第２のフローＩＤフィールドは、前記プロトコルデータユニットパッケージの先頭または末尾に設定され、及び／または
前記第２のフローＩＤフィールドは、上位ビットまたは下位ビットに位置する、
請求項１に記載のデータ伝送方法。
【請求項４】
前記第２のフローＩＤフィールドは、前記プロトコルデータユニットパッケージの先頭の１つ以上のバイトを個別に構成し、または
前記第２のフローＩＤフィールドと他のフィールドは、前記プロトコルデータユニットパッケージの先頭の１つ以上のバイトを構成する、
請求項３に記載のデータ伝送方法。
【請求項５】
新しいＡＳサブレイヤエンティティを構築または変更するプロセスで、前記第１のフローＩＤと前記第２のフローＩＤ及びデータ無線ベアラＩＤの組み合わせとの間の１対１の対応関係を記録する構成テーブルを構成すること、または、
無線リソース制御（ＲＲＣ）シグナリングによって前記構成テーブルを構成することをさらに含む、
請求項１に記載のデータ伝送方法。
【請求項６】
前記構成テーブルは、ＲＲＣによって新しいＡＳサブレイヤを再構成するプロセスで変更されることをさらに含む、
請求項５に記載のデータ伝送方法。
【請求項７】
前記サービス品質フローを少なくとも１つのデータ無線ベアラにマッピングして、プロトコルデータユニットパッケージを取得することは、具体的に、
現在処理待ちのサービス品質フローの第１のフローＩＤを取得することと、
前記第１のフローＩＤと前記第２のフローＩＤ及びデータ無線ベアラＩＤの組み合わせとの間の１対１の対応関係に従って、現在処理待ちのサービス品質フローの第１のフローＩＤに対応する第２のフローＩＤ及びデータ無線ベアラＩＤを決定することと、
前記現在処理待ちのサービス品質フローを、前記データ無線ベアラＩＤが指示したデータ無線ベアラにマッピングし、現在処理待ちのサービス品質フローに対応する第２のフローＩＤフィールドを前記第２のフローＩＤフィールドに割り当てて、前記プロトコルデータユニットパッケージを取得することとを含む、
請求項１に記載のデータ伝送方法。
【請求項８】
前記サービス品質フローを少なくとも１つのデータ無線ベアラにマッピングして、プロトコルデータユニットパッケージを取得することは、具体的には、
サービス品質フローとデータ無線ベアラが多対１のマッピングである場合、前記プロトコルデータユニットパッケージに前記第２のフローＩＤを搬送し、サービス品質フローとデータ無線ベアラが多対１のマッピングでない場合、前記第２のフローＩＤを搬送しないことである、
請求項１に記載のデータ伝送方法。
【請求項９】
新しいアクセス層（ＡＳ）サブレイヤに適用されるデータ伝送方法であって、
データ無線ベアラにマッピングされたサービス品質フローを搬送するプロトコルデータユニットパッケージを受信することと、
前記サービス品質フローを取得することと、
前記プロトコルデータユニットパッケージで搬送される前記サービス品質フローに対応する第２のフローＩＤ及びデータ無線ベアラＩＤに従って、前記サービス品質フローの第１のフローＩＤを取得することであって、前記第１のフローＩＤは、前記第２のフローＩＤ及びデータ無線ベアラＩＤの組み合わせと１対１の対応関係を有することとを含む、
前記データ伝送方法。
【請求項１０】
前記サービス品質フローを取得することは、具体的に、
前記ＰＤＵパッケージを解析して、マッピングされた且つ１つのデータ無線ベアラのみにマッピングされた各サービス品質フローを取得することと、
前記プロトコルデータユニットパッケージで搬送される前記サービス品質フローに対応する第２のフローＩＤ及びデータ無線ベアラＩＤに従って、前記サービス品質フローの第１のフローＩＤを取得することは、具体的に、各サービス品質フローの前記ＰＤＵパッケージに記載された第２のフローＩＤフィールドの第２のフローＩＤと、前記サービス品質フローを搬送するＤＲＢ  ＩＤとを取得することを含むことと、
前記１対１の対応関係に従って、取得された第２のフローＩＤとＤＲＢ  ＩＤに対応する第１のフローＩＤを決定することと、
前記第２のフローＩＤフィールドの長さはｎビットであり、ｎは、２^ｎが、データ無線ベアラで搬送できる最大サービス品質フロー数の整数中の最小値より大きいか等しいことを満足することとを含む、
請求項９に記載のデータ伝送方法。
【請求項１１】
前記第２のフローＩＤフィールドは、前記プロトコルデータユニットパッケージの先頭または末尾に設定され、及び／または、
前記第２のフローＩＤフィールドは、上位ビットまたは下位ビットに位置する、
請求項９に記載のデータ伝送方法。
【請求項１２】
前記第２のフローＩＤフィールドは、前記プロトコルデータユニットパッケージの先頭の１つ以上のバイトを個別に構成し、または、
前記第２のフローＩＤフィールドと他のフィールドは、前記プロトコルデータユニットパッケージの先頭の１つ以上のバイトを構成する、
請求項１１に記載のデータ伝送方法。
【請求項１３】
新しいＡＳサブレイヤエンティティを構築または変更するプロセスで、前記第１のフローＩＤと前記第２のフローＩＤ及びデータ無線ベアラＩＤの組み合わせとの間の１対１の対応関係を記録する構成テーブルを構成すること、または、
無線リソース制御（ＲＲＣ）シグナリングによって前記構成テーブルを構成することをさらに含む、
請求項９に記載のデータ伝送方法。
【請求項１４】
前記構成テーブルは、ＲＲＣによって新しいＡＳサブレイヤを再構成するプロセスで変更されることをさらに含む、
請求項１３に記載のデータ伝送方法。
【請求項１５】
前記サービス品質フローを取得した後、サービス品質フローとデータ無線ベアラとが多対１のマッピングであるかどうかを判定することと、
サービス品質フローとデータ無線ベアラとが多対１のマッピングであるときのみ、前記サービス品質フローの第１のフローＩＤを取得するステップをトリガすることとをさらに含む、
請求項９に記載のデータ伝送方法。
【請求項１６】
新しいアクセス層（ＡＳ）サブレイヤエンティティであって、
第１のフローＩＤを有するサービス品質フローを受信するためのサービス品質フロー受信モジュールと、
前記サービス品質フローを少なくとも１つのデータ無線ベアラにマッピングして、プロトコルデータユニットパッケージを取得するプロトコルデータユニットパッケージ取得モジュールであって、前記プロトコルデータユニットパッケージには、サービス品質フローに対応する第２のフローＩＤが搬送され、前記第１のフローＩＤと、前記第２のフローＩＤ及びデータ無線ベアラＩＤの組み合わせと１対１の対応関係を有するためのプロトコルデータユニットパッケージ取得モジュールと、
前記プロトコルデータユニットパッケージを送信するためのプロトコルデータユニットパッケージ送信モジュールとを含む、
前記新しいＡＳサブレイヤエンティティ。
【請求項１７】
前記プロトコルデータユニットパッケージ取得モジュールは、具体的に、
前記１対１の対応関係に従って、各サービス品質フローを１つの且つ１つだけのデータ無線ベアラにマッピングすることと、
前記１対１の対応関係に従って、同じデータ無線ベアラで搬送される異なるサービス品質フローに、異なる第２のフローＩＤを割り当て、前記ＰＤＵパッケージ中の前記第２のフローＩＤを記録する第２のフローＩＤフィールドの長さはｎビットであり、ｎは、２^ｎが、データ無線ベアラで搬送できる最大サービス品質フロー数の整数中の最小値より大きいか等しいことを満足することに使用される、
請求項１６に記載の新しいＡＳサブレイヤエンティティ。
【請求項１８】
前記第２のフローＩＤフィールドは、前記プロトコルデータユニットパッケージの先頭または末尾に設定され、及び／または、
前記第２のフローＩＤフィールドは、上位ビットまたは下位ビットに位置する、
請求項１６に記載の新しいＡＳサブレイヤエンティティ。
【請求項１９】
前記第２のフローＩＤフィールドは、前記プロトコルデータユニットパッケージの先頭の１つ以上のバイトを個別に構成し、または、
前記第２のフローＩＤフィールドと他のフィールドは、前記プロトコルデータユニットパッケージの先頭の１つ以上のバイトを構成する、
請求項１８に記載の新しいＡＳサブレイヤエンティティ。
【請求項２０】
新しいＡＳサブレイヤエンティティを構築または変更するプロセスで、前記第１のフローＩＤと前記第２のフローＩＤ及びデータ無線ベアラＩＤの組み合わせとの間の１対１の対応関係を記録する構成テーブルを構成するための、または、
無線リソース制御（ＲＲＣ）シグナリングによって前記構成テーブルを構成するための構成テーブル構成モジュールをさらに含む、
請求項１６に記載の新しいＡＳサブレイヤエンティティ。
【請求項２１】
前記構成テーブルは、ＲＲＣによって新しいＡＳサブレイヤを再構成するプロセスで変更されるための構成テーブル変更モジュールをさらに含む、
請求項２０に記載の新しいＡＳサブレイヤエンティティ。
【請求項２２】
前記プロトコルデータユニットパッケージ取得モジュールは、具体的に、
現在処理待ちのサービス品質フローの第１のフローＩＤを取得することと、
前記第１のフローＩＤと前記第２のフローＩＤ及びデータ無線ベアラＩＤの組み合わせとの間の１対１の対応関係に従って、現在処理待ちのサービス品質フローの第１のフローＩＤに対応する第２のフローＩＤ及びデータ無線ベアラＩＤを決定することと、
前記現在処理待ちのサービス品質フローを、前記データ無線ベアラＩＤが指示したデータ無線ベアラにマッピングし、現在処理待ちのサービス品質フローに対応する第２のフローＩＤフィールドを前記第２のフローＩＤフィールドに割り当てて、前記プロトコルデータユニットパッケージを取得することに使用される、
請求項１６に記載の新しいＡＳサブレイヤエンティティ。
【請求項２３】
サービス品質フローとデータ無線ベアラとが多対１のマッピングであるとき、前記プロトコルデータユニットパッケージで前記第２のフローＩＤを搬送する、
請求項１６に記載の新しいＡＳサブレイヤエンティティ。
【請求項２４】
新しいアクセス層（ＡＳ）サブレイヤエンティティであって、
データ無線ベアラにマッピングされたサービス品質フローを搬送するプロトコルデータユニットパッケージを受信するためのプロトコルデータユニットパッケージ受信モジュールと、
前記サービス品質フローを取得するためのサービス品質フロー取得モジュールと、
前記プロトコルデータユニットパッケージで搬送される前記サービス品質フローに対応する第２のフローＩＤ及びデータ無線ベアラＩＤに従って、前記サービス品質フローの第１のフローＩＤを取得するための第１のフローＩＤ取得モジュールとを含み、
前記第１のフローＩＤは、前記第２のフローＩＤ及びデータ無線ベアラＩＤの組み合わせと１対１の対応関係を有する、
前記新しいＡＳサブレイヤエンティティ。
【請求項２５】
前記サービス品質フロー取得モジュールは、具体的に、前記ＰＤＵパッケージを解析して、マッピングされた且つ１つのデータ無線ベアラのみにマッピングされた各サービス品質フローを取得することに使用され、
前記第１のフローＩＤ取得モジュールは、具体的に、
各サービス品質フローの前記ＰＤＵパッケージに記載された第２のフローＩＤフィールドの第２のフローＩＤと、前記サービス品質フローを搬送するＤＲＢ  ＩＤとを取得し、
前記１対１の対応関係に従って、取得された第２のフローＩＤとＤＲＢ  ＩＤに対応する第１のフローＩＤを決定し、
前記第２のフローＩＤフィールドの長さはｎビットであり、ｎは、２^ｎが、データ無線ベアラで搬送できる最大サービス品質フロー数の整数中の最小値より大きいか等しいことを満足することに使用される、
請求項２４に記載の新しいＡＳサブレイヤエンティティ。
【請求項２６】
前記第２のフローＩＤフィールドは、前記プロトコルデータユニットパッケージの先頭または末尾に設定され、及び／または、
前記第２のフローＩＤフィールドは、上位ビットまたは下位ビットに位置する、
請求項２４に記載の新しいＡＳサブレイヤエンティティ。
【請求項２７】
前記第２のフローＩＤフィールドは、前記プロトコルデータユニットパッケージの先頭の１つ以上のバイトを個別に構成し、または、
前記第２のフローＩＤフィールドと他のフィールドは、前記プロトコルデータユニットパッケージの先頭の１つ以上のバイトを構成する、
請求項２６に記載の新しいＡＳサブレイヤエンティティ。
【請求項２８】
新しいＡＳサブレイヤエンティティを構築または変更するプロセスで、前記第１のフローＩＤと前記第２のフローＩＤ及びデータ無線ベアラＩＤの組み合わせとの間の１対１の対応関係を記録する構成テーブルを構成するための構成テーブル構成モジュール、または、
無線リソース制御（ＲＲＣ）シグナリングによって前記構成テーブルを構成するための構成テーブル構成モジュールをさらに含む、
請求項２４に記載の新しいＡＳサブレイヤエンティティ。
【請求項２９】
前記構成テーブルは、ＲＲＣによって新しいＡＳサブレイヤを再構成するプロセスで変更されるための構成テーブル変更モジュールをさらに含む、
請求項２８に記載の新しいＡＳサブレイヤエンティティ。
【請求項３０】
前記サービス品質フローを取得した後、サービス品質フローとデータ無線ベアラとが多対１のマッピングであるかどうかを判定するための判定モジュール、及び
サービス品質フローとデータ無線ベアラとが多対１のマッピングであるときのみ、前記第１のフローＩＤ取得モジュールをトリガするための判定モジュールをさらに含む、
請求項２４に記載の新しいＡＳサブレイヤエンティティ。
【請求項３１】
新しいアクセス層（ＡＳ）サブレイヤエンティティであって、
プロセッサ及びメモリを備え、前記プロセッサは、メモリ中のプログラムを読み取って、請求項１ないし８のいずれか一項に記載のデータ伝送方法のステップを実行するように構成される、
前記新しいＡＳサブレイヤエンティティ。
【請求項３２】
新しいアクセス層（ＡＳ）サブレイヤエンティティであって、
プロセッサ及びメモリを備え、前記プロセッサは、メモリ中のプログラムを読み取って、請求項９ないし１５のいずれか一項に記載のデータ伝送方法のステップを実行するように構成される、
前記新しいＡＳサブレイヤエンティティ。
【請求項３３】
コンピュータプログラムが格納されたコンピュータ読み取り可能な記憶媒体であって、
前記コンピュータプログラムは、請求項１ないし８のいずれか一項に記載のデータ伝送方法、及び／または請求項９ないし１５のいずれか一項に記載のデータ伝送方法を、コンピュータに実行させることが可能である、前記コンピュータ読み取り可能な記憶媒体。
【発明の詳細な説明】
【技術分野】
【０００１】
（関連出願の相互参照）
本願は、２０１７年５月５日に提出された中国特許出願Ｎｏ．２０１７１０３１３９３４.４の優先権を主張し、当該出願のすべての内容は、参照により本明細書に組み込まれる。
【０００２】
本開示は、通信技術分野に関し、特に、データ伝送方法及び新しいアクセス層（ＡＳ：Ａｃｃｅｓｓ  Ｓｔｒａｔｕｍ）サブレイヤエンティティに関する。
【背景技術】
【０００３】
現在、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）の第５世代移動通信技術（５Ｇ：５ｔｈ−ｇｅｎｅｒａｔｉｏｎ）プロトコルスタックソリューションが推進されており、図１に示すように、新しいプロトコルレイヤ−新しいアクセス層サブレイヤ（Ｎｅｗ  ＡＳ  Ｓｕｂｌａｙｅｒ）が導入された。本出願において、５Ｇプロトコルスタックソリューション中のＮｅｗ  ＡＳ  Ｓｕｂｌａｙｅｒは、サービスデータアダプテーションプロトコル（ＳＤＡＰ：Ｓｅｒｖｉｃｅ  Ｄａｔａ  Ａｄａｐｔｉｏｎ  Ｐｒｏｔｏｃｏｌ）レイヤと呼ばれ、次の２つの基本機能が必要である：
サービス品質（ＱｏＳ：Ｑｕａｌｉｔｙ  ｏｆ  Ｓｅｒｖｉｃｅ）フロー及びデータ無線ベアラ（ＤＲＢ：Ｄａｔａ  Ｒａｄｉｏ  Ｂｅａｒｅｒ）のマッピングを具現し、及び、
アップリンクパッケージ及びダウンリンクパッケージにＱｏＳフローＩＤが搬送される。
【０００４】
上記の新しいＡＳサブレイヤ及びＳＤＡＰレイヤの両方とも他の名前を使用して説明することができることに留意してほしい。
【発明の概要】
【発明が解決しようとする課題】
【０００５】
通常、値は統一された方法でユーザを単位としてＱｏＳフローＩＤに割り当てられるため、その値の範囲が通常比較的大きいため、ＱｏＳフローＩＤを直接に送信すると、ＱｏＳフローＩＤ伝送オーバーヘッドが比較的大きくなるという問題がある。
【０００６】
本開示は、ＱｏＳフローＩＤの伝送オーバーヘッドを低減するためのデータ伝送方法及び新しいＡＳサブレイヤエンティティを提供する。
【課題を解決するための手段】
【０００７】
前記目的を達成するために、一態様によれば、本開示は、
第１のフローＩＤを有するサービス品質フロー（ＱｏＳ  Ｆｌｏｗ）を受信することと、
サービス品質フローを少なくとも１つのデータ無線ベアラ（ＤＲＢ）にマッピングして、プロトコルデータユニット（ＰＤＵ）パッケージを取得することであって、前記プロトコルデータユニットパッケージには、サービス品質フローに対応する第２のフローＩＤが搬送され、前記第１のフローＩＤは、前記第２のフローＩＤ及びデータ無線ベアラＩＤの組み合わせと１対１の対応関係を有することと、
前記プロトコルデータユニットパッケージを送信することとを含む、データ伝送方法を提供する。
【０００８】
他の態様によれば、本開示は、
データ無線ベアラにマッピングされたサービス品質フローを搬送するプロトコルデータユニットパッケージを受信することと、
前記サービス品質フローを取得することと、
前記プロトコルデータユニットパッケージで搬送される前記サービス品質フローに対応する第２のフローＩＤ及びデータ無線ベアラＩＤに従って、前記サービス品質フローの第１のフローＩＤを取得することであって、前記第１のフローＩＤは、前記第２のフローＩＤ及びデータ無線ベアラＩＤの組み合わせと１対１の対応関係を有することとを含む、データ伝送方法をさらに提供する。
【０００９】
他の態様によれば、本開示は、
第１のフローＩＤを有するサービス品質フローを受信するためのサービス品質フロー受信モジュールと、
サービス品質フローを少なくとも１つのデータ無線ベアラにマッピングして、プロトコルデータユニットパッケージを取得するプロトコルデータユニットパッケージ取得モジュールであって、前記プロトコルデータユニットパッケージには、サービス品質フローに対応する第２のフローＩＤが搬送され、前記第１のフローＩＤは、前記第２のフローＩＤ及びデータ無線ベアラＩＤの組み合わせと１対１の対応関係を有するためのプロトコルデータユニットパッケージ取得モジュールと、
前記プロトコルデータユニットパッケージを送信するためのプロトコルデータユニットパッケージ送信モジュールとを含む、新しいＡＳサブレイヤエンティティをさらに提供する。
【００１０】
他の態様によれば、本開示は、
データ無線ベアラにマッピングされたサービス品質フローを搬送するプロトコルデータユニットパッケージを受信するためのプロトコルデータユニットパッケージ受信モジュールと、
前記サービス品質フローを取得するためのサービス品質フロー取得モジュールと、
前記プロトコルデータユニットパッケージで搬送される前記サービス品質フローに対応する第２のフローＩＤ及びデータ無線ベアラＩＤに従って、前記サービス品質フローの第１のフローＩＤを取得するための第１のフローＩＤ取得モジュールとを含み、
前記第１のフローＩＤは、前記第２のフローＩＤ及びデータ無線ベアラＩＤの組み合わせと１対１の対応関係を有する、別の新しいＡＳサブレイヤエンティティをさらに提供する。
【００１１】
他の態様によれば、本開示は、プロセッサ及びメモリを備える別の新しいＡＳサブレイヤエンティティをさらに提供し、
前記プロセッサは、メモリ中のプログラムを読み取って、
第１のフローＩＤを有するサービス品質フローを受信することと、
サービス品質フローを少なくとも１つのデータ無線ベアラにマッピングして、プロトコルデータユニットパッケージを取得することであって、前記プロトコルデータユニットパッケージには、サービス品質フローに対応する第２のフローＩＤが搬送され、前記第１のフローＩＤは、前記第２のフローＩＤ及びデータ無線ベアラＩＤの組み合わせと１対１の対応関係を有することと、
前記プロトコルデータユニットパッケージを送信することのようなプロセスを実行するように構成される。
【００１２】
他の態様によれば、本開示は、プロセッサ及びメモリを備える別の新しいＡＳサブレイヤエンティティをさらに含み、
前記プロセッサは、メモリ中のプログラムを読み取って、
データ無線ベアラにマッピングされたサービス品質フローを搬送するプロトコルデータユニットパッケージを受信することと、
前記サービス品質フローを取得することと、
前記プロトコルデータユニットパッケージで搬送される前記サービス品質フローに対応する第２のフローＩＤ及びデータ無線ベアラＩＤに従って、前記サービス品質フローの第１のフローＩＤを取得することであって、前記第１のフローＩＤは、前記第２のフローＩＤ及びデータ無線ベアラＩＤの組み合わせと１対１の対応関係を有することのようなプロセスを実行するように構成される。
【００１３】
他の態様によれば、本開示は、コンピュータプログラムが格納されたコンピュータ読み取り可能な記憶媒体をさらに提供し、前記コンピュータプログラムがプロセッサによって実行されるとき、本開示によって提供された新しいＡＳサブレイヤエンティティに対応するデータ伝送方法中のステップを具現する。
【図面の簡単な説明】
【００１４】
【図１】関連技術における５Ｇプロトコルスタックソリューション中の新しいＡＳサブレイヤを示す模式図である。
【図２】本開示のある実施例のデータ伝送方法を示すフロー模式図である。
【図２−１】本開示のある実施例のＳＤＡＰフローＩＤのＰＤＵパッケージにおける位置模式図である。
【図２−２】本開示のある実施例のＳＤＡＰがその上位レイヤと相互作用するときにＱｏＳフローＩＤ及びＤＲＢ  ＩＤを使用することを示す模式図である。
【図３】本開示の別の実施例のデータ伝送方法を示すフロー模式図である。
【図３−１】本開示の別の実施例のＳＤＡＰがその下位レイヤと相互作用するときにＱｏＳフローＩＤ及びＤＲＢ  ＩＤを使用することを示す模式図である。
【図４】本開示のある実施例の新しいＡＳサブレイヤエンティティの構造を示す模式図である。
【図５】本開示の別の実施例の新しいＡＳサブレイヤエンティティを示す構造模式図である。
【図６】本開示の別の実施例の新しいＡＳサブレイヤエンティティを示す構造模式図である。
【図７】本開示の別の実施例の新しいＡＳサブレイヤエンティティを示す構造模式図である。
【図８】本開示の別の実施例の新しいＡＳサブレイヤエンティティを示す構造模式図である。
【図９】本開示の別の実施例の新しいＡＳサブレイヤエンティティを示す構造模式図である。
【図１０】本開示の別の実施例の新しいＡＳサブレイヤエンティティを示す構造模式図である。
【図１１】本開示の別の実施例の新しいＡＳサブレイヤエンティティを示す構造模式図である。
【図１２】本開示の別の実施例の新しいＡＳサブレイヤエンティティを示す構造模式図である。
【発明を実施するための形態】
【００１５】
本開示が解決しようとする技術課題、技術方案及び利点をより明確にするために、以下は図面及び具体的な実施例に合わせて詳細に記述する。
【００１６】
図２に参照して、図２は、本開示のある実施例によって提供されたデータ伝送方法であり、ステップ２０１ないし２０３を含む。
【００１７】
ステップ２０１において、第１のフローＩＤを有するサービス品質フローを受信する。
【００１８】
本開示の実施例は、新しいＡＳサブレイヤに適用され、現在の５Ｇプロトコルスタックソリューションにおいて、当該新しいＡＳサブレイヤは、ＳＤＡＰレイヤであることができるが、これに限定されない。本開示の技術方案をよりよく理解及び説明するために、例として、本開示の実施例は、新しいＡＳサブレイヤをＳＤＡＰレイヤとして説明する。
【００１９】
現在の５Ｇプロトコルスタックソリューションにおいて、ＳＤＡＰレイヤの機能の定義は、次のようである：
ＱｏＳフロー及びＤＲＢのマッピングを具現し、及び、
アップリンクパッケージ及びダウンリンクパッケージにＱｏＳフローＩＤが搬送される。
【００２０】
当該ステップにおいて、ＳＤＡＰレイヤはコアネットワークから第１のフローＩＤ（即ち、ＱｏＳフローＩＤ）を有するＱｏＳフローを受信する。つまり、ＳＤＡＰレイヤの送信機能部分は、ＱｏＳ  Ｆｌｏｗを受信することができ、ここで、ＱｏＳ  ＦｌｏｗはＱｏＳフローＩＤを含む。通常、第１のフローＩＤはユーザを単位として値が一様に割り当てられる。
【００２１】
ステップ２０２において、ＱｏＳ  Ｆｌｏｗを少なくとも１つのＤＲＢにマッピングして、ＰＤＵパッケージを取得し、ここで、前記ＰＤＵパッケージにはＱｏＳ  Ｆｌｏｗに対応する第２のフローＩＤが搬送され、前記第１のフローＩＤは、前記第２のフローＩＤ及びＤＲＢ  ＩＤの組み合わせと１対１の対応関係を有する。
【００２２】
上記からわかるように、ＳＤＡＰレイヤは、ＱｏＳ  ＦｌｏｗとＤＲＢとの間のマッピング及びＱｏＳフローＩＤの送信を具現する必要がある。したがって、当該ステップにおいて、ＳＤＡＰレイヤは、ＱｏＳ  Ｆｌｏｗを少なくとも１つのＤＲＢにマッピングさせて、ＳＤＡＰレイヤのＰＤＵパッケージを取得することができる。
【００２３】
説明の便宜上、ＳＤＡＰレイヤにおいて、ＤＲＢにマッピングされたＱｏＳフローは、ＳＤＡＰフローと呼ばれ、ＱｏＳフローとＳＤＡＰフローとの間には1対1の対応のマッピング関係を有する。即ち、後続のより短いＩＤを使用してより長いＱｏＳフローを識別することを実現するために、両者の間には1対多または多対１のマッピング関係が存在しない。
【００２４】
同時に、１つまたは複数のＳＤＡＰフローが１つのＤＲＢにマッピングされることができるが、１つのＳＤＡＰフローが複数のＤＲＢに同時にマッピングされることができない。
【００２５】
ここで、ＳＤＡＰレイヤのＰＤＵパッケージには第１のフローＩＤに対応する第２のフローＩＤが含まれ、また第１のフローＩＤは、第２のフローＩＤ及びＤＲＢ  ＩＤの組み合わせと１対１の対応関係を有する。
【００２６】
導入された第２のフローＩＤは、ＳＤＡＰフローＩＤとして理解でき、ＳＤＡＰプロトコルレイヤによって認識されることができる必要があるが、当該ＳＤＡＰフローＩＤが他のレイヤによって認識されることができるかどうかは、必要に応じてプロトコルの定義を行うことができ、本開示の具体的な実施例では詳しく説明しない。
【００２７】
本開示の具体的な実施例において、第２のフローＩＤと既存のＤＲＢ  ＩＤとを組み合わせてＱｏＳフローのＩＤを説明する。既存のＤＲＢ  ＩＤを再利用したため、したがって、データ伝送中にビット位を長く占有するＱｏＳフローＩＤを、ビット位を短く占有する第２のフローＩＤに変換して伝送することにより、ＱｏＳフローＩＤの伝送オーバーヘッドが低減されることができる。
【００２８】
第１のフローＩＤと、第２のフローＩＤ及びＤＲＢ  ＩＤの組み合わせとの間の１対１の対応関係をよりよく理解するために、以下は表１に合わせて例を挙げて説明する。
【００２９】
【表１】
0006864783.tif 000002
【００３０】
表１を参照すると、第１のフローＩＤは０ないし３１のエンコードであると想定され、バイナリとして表現すれば、５つのビット位を占用する必要がある。各ＤＲＢが８つのＱｏＳ  Ｆｌｏｗを搬送できると想定されると、３つのビット位（即ち、０ないし７のエンコード）の第２のフローＩＤを導入することにより、４つのＤＲＢ  ＩＤと第２のフローＩＤの組み合わせを介して、各第１のフローＩＤと1対1の対応を行うことができる。例如、エンコードが０である第２のフローＩＤと、エンコードが１であるＤＲＢ  ＩＤは、エンコードが０である第１のフローＩＤに対応することができ、エンコードが１である第２のフローＩＤとエンコードが２であるＤＲＢ  ＩＤはエンコードが９である第１のフローＩＤに対応することなどがある。
【００３１】
第２のフローＩＤを導入することにより、元々５つのビット位を占有する必要があった第１のフローＩＤが、現在は３つのビット位だけが必要であることがわかる。ＰＤＵパッケージ中に実際に送信した第２のフローＩＤのビット数が短縮されるため、システムのオーバーヘッドを削減できる。
【００３２】
ステップ２０３において、前記ＰＤＵパッケージを送信する。
当該ステップにおいて、ＳＤＡＰレイヤは、ステップ２０２で取得したＰＤＵパッケージを次のレイヤに送信してもよい。
【００３３】
本開示の具体的な実施例において、同じＤＲＢで搬送した異なるＱｏＳ  Ｆｌｏｗに対応する第２のフローＩＤが異なる。
【００３４】
しかし、本開示の具体的な実施例において、第２のフローＩＤフィールドのビット数（ｎ）は、以下の２つの基準を満たす必要がある。
【００３５】
１．第２のフローＩＤフィールドは、ＤＲＢが搬送するすべてのＱｏＳ  Ｆｌｏｗ（ＳＤＡＰフロー）を識別することができる必要がないため、２^ｎは、ＤＲＢが搬送できる最大ＱｏＳ  Ｆｌｏｗの数より大きいか等しいである必要がある。
【００３６】
２．第２のフローＩＤの伝送オーバーヘッドを低減するという観点から、ｎは、２^ｎが、ＤＲＢが搬送できる最大ＱｏＳフローの数より大きいか等しい整数中の最小値を取る必要がある。
【００３７】
本開示の実施形態において、同じＤＲＢに異なるＱｏＳ  Ｆｌｏｗを搬送することができ、また異なるＱｏＳ  Ｆｌｏｗに対応する第２のフローＩＤは異なる。表１に示されたように、エンコードが１であるＤＲＢには、エンコードが０ないし７のＱｏＳ  Ｆｌｏｗを搬送することができ、かつ異なるＱｏＳ  Ｆｌｏｗに対応する第２のフローＩＤはすべて異なる。
【００３８】
しかしながら、異なるＤＲＢが搬送するＳＤＡＰフローの第２のフローＩＤは、同じであってもよく、例えば、ＱｏＳフローＩＤがすべて０であるＱｏＳフローに対応する第２のフローＩＤはすべて０であるが、それに対応するＤＲＢ  ＩＤが異なるため、効果的な区分を実現することができる。
【００３９】
なお、本開示の具体的な実施例では、第２のフローＩＤはＤＲＢを単位として値を取り、各ＤＲＢはいくつかのＳＤＡＰ  Ｆｌｏｗを伝送することができる。同じＤＲＢによって伝送されるＳＤＡＰフローは、第２のフローＩＤを一様に割り当て、また同じＤＲＢ内の第２のフローＩＤは、第２のフローＩＤとＤＲＢ  ＩＤがすべて同じである場合を避けるために繰り返すことができないが、異なるＤＲＢの第２のフローＩＤは繰り返すことができて、ＤＲＢ  ＩＤを組み合わせることによって区別する。
【００４０】
表１に示されたように、１つＤＲＢが搬送できる最大ＱｏＳ  Ｆｌｏｗの数は８であり、第２のフローＩＤフィールドの長さは３ビットでなければならない。
【００４１】
上記は一例であり、当該第２のフローＩＤフィールドの長さは、実際の送信状況に応じて構成される。
【００４２】
本開示の実施形態において、同じＱｏＳ  Ｆｌｏｗは１つのＤＲＢにマッピングされることができ、即ち、ＤＲＢとＱｏＳフローとの間が1対１のマッピング関係であり、このような方法でＳＤＡＰレイヤＰＤＵパッケージには第２のフローＩＤを搬送しなくてもよい。逆に、複数のＱｏＳ  Ｆｌｏｗが同時に１つのＤＲＢにマッピングされたとき、ＳＤＡＰレイヤＰＤＵパッケージは第２のフローＩＤを搬送する必要がある。
【００４３】
本開示の具体的な実施例において、前記サービス品質フローを少なくとも１つのデータ無線ベアラにマッピングして、プロトコルデータユニットパッケージを取得するステップは、具体的に、
前記１対１の対応関係に従って、各サービス品質フローを１つの且つ１つだけのデータ無線ベアラにマッピングし、
前記１対１の対応関係に従って、同じデータ無線ベアラで搬送される異なるサービス品質フローに、異なる第２のフローＩＤを割り当て、前記ＰＤＵパッケージ中の前記第２のフローＩＤを記録する第２のフローＩＤフィールドの長さはｎビットであり、ｎは、２^ｎが、データ無線ベアラで搬送できる最大サービス品質フロー数の整数中の最小値より大きいか等しいことを満足する。
【００４４】
本開示の具体的な実施例において、第２のフローＩＤフィールドに対して様々な位置に設定されることができ、例えば、前記第２のフローＩＤフィールドは前記ＰＤＵパッケージの先頭または末尾に設定される。
【００４５】
第２のフローＩＤフィールドのＰＤＵパッケージに対する位置が決定された後、当該第２のフローＩＤフィールドは上位ビットまたは下位ビットに位置されることができ、他のフィールドと組み合わせてＰＤＵパッケージの全体のバイトを形成することもでき、当該第２のフローＩＤフィールドはバイトの中央に位置する。
【００４６】
つまり、本開示の実施形態において、第２のフローＩＤフィールドはＳＤＡＰレイヤＰＤＵパッケージの先頭に設定されることができ、ＳＤＡＰレイヤＰＤＵパッケージの末尾に設定されることもできる。第２のフローＩＤフィールドがＳＤＡＰレイヤＰＤＵパッケージの先頭に設定されたとき、第２のフローＩＤフィールドはＳＤＡＰレイヤＰＤＵパッケージの先頭の上位ビットに設定されることができ、ＳＤＡＰレイヤＰＤＵパッケージの先頭の下位ビットに設定されることもできる。同様に、第２のフローＩＤフィールドがＳＤＡＰレイヤＰＤＵパッケージの末尾に設定される状況にも適用される。
【００４７】
図２-１は、ＳＤＡＰフローＩＤ（即ち、第２のフローＩＤ）がＳＤＡＰレイヤＰＤＵパッケージの先頭に設定され、また先頭の下位ビットに位置される場合を示した。
【００４８】
本開示の具体的な実施例において、解析の便宜上、フィールド長さに応じて、前記第２のフローＩＤフィールドは個別に前記ＰＤＵパッケージの先頭の１つ以上のバイトを構成してもよく、または，前記第２のフローＩＤフィールドと他のフィールドが前記ＰＤＵパッケージの先頭の１つ以上のバイトを構成する。
【００４９】
即ち、本開示の実施形態において、ＳＤＡＰレイヤＰＤＵパッケージの先頭（または末尾）は、第２のフローＩＤフィールドによって個別に構成されることができ、第２のフローＩＤフィールドと他のフィールドによって構成されることもできる。
【００５０】
なお、ＳＤＡＰレイヤＰＤＵパッケージの先頭（または末尾）が第２のフローＩＤのみある場合、第２のフローＩＤが占める位置はバイト全体でなければならなく、第２のフローＩＤ自体がバイト全体を形成できない場合、図２-１には第２のフローＩＤと保留フィールド（「Ｒ」フィールド）とが一緒にバイト全体を形成する。ＳＤＡＰレイヤＰＤＵパッケージの先頭（または末尾）に他のフィールドをさらにある場合、第２のフローＩＤは、他のフィールドと一緒にバイト全体に応じて書き込み、残りのビット位置には「Ｒ」フィールドを追加し充填する。
【００５１】
本開示の具体的な実施例において、送信側であろうと受信側であろうと、第１のフローＩＤと前記第２のフローＩＤ及びＤＲＢ  ＩＤの組み合わせとの間の１対１の対応関係に従って第１のフローＩＤまたは第２のフローＩＤを決定する必要があるので、本開示の具体的な実施例には、
前記第１のフローＩＤと前記第２のフローＩＤ及びＤＲＢ  ＩＤの組み合わせとの間の１対１の対応関係を記録する構成テーブルを構成するステップをさらに含む。
【００５２】
当該構成テーブルは、新しいＡＳサブレイヤエンティティを構築または変更するプロセスで構成されることができ、無線リソース制御（ＲＲＣ）シグナリングによって構成されることもできる。
【００５３】
構成テーブルを構成するとき、各第１のフローＩＤに対応する第２のフローＩＤ、及び当該第２のフローＩＤの値を構成する必要があり、同時に、各第２のフローＩＤに対応するＤＲＢ  ＩＤを構成する。ここで、異なる第２のフローＩＤに対応するＤＲＢ  ＩＤが同じである場合、複数のＳＤＡＰ  Ｆｌｏｗが１つのＤＲＢにマッピングされたことを示す。
【００５４】
当該構成テーブルは、さらに、ＲＲＣによって新しいＡＳサブレイヤを再構成するプロセスで構成テーブルを変更することができ、当該変更には、
ＳＤＡＰ  Ｆｌｏｗを変更するかまたは追加すること、
既存のＳＤＡＰ  Ｆｌｏｗを変更すること、
既存のＳＤＡＰ  Ｆｌｏｗを削除すること、
……等の操作を含むが、これに限定されない。
【００５５】
本開示の具体的な実施例において、ＱｏＳ  Ｆｌｏｗを少なくとも１つのＤＲＢにマッピングして、ＰＤＵパッケージを取得することは、具体的に、
現在処理待ちのＱｏＳ  Ｆｌｏｗの第１のフローＩＤを取得することと、
前記第１のフローＩＤと前記第２のフローＩＤ及びＤＲＢ  ＩＤの組み合わせとの間の１対１の対応関係に従って、現在処理待ちのＱｏＳ  Ｆｌｏｗの第１のフローＩＤに対応する第２のフローＩＤとＤＲＢ  ＩＤを決定することと、
前記現在処理待ちのＱｏＳ  Ｆｌｏｗを、前記ＤＲＢ  ＩＤによって指示されたＤＲＢにマッピングし、現在処理待ちのＱｏＳ  Ｆｌｏｗに対応する第２のフローＩＤフィールドを前記第２のフローＩＤフィールドに割り当てて、前記ＰＤＵパッケージを取得することを含む。
【００５６】
本開示の実施形態において、ＰＤＵパッケージを取得することは、以下のような具体的なプロセスを含むことができる：
ＳＤＡＰ  ＰＤＵパッケージを形成または解析するとき、まずは、ＲＲＣシグナリング構成によって、１つのＳＤＡＰフローまたは複数のＳＤＡＰフローが１つＤＲＢにマッピングされたのかを判定して、１つであれば、ＰＤＵパッケージには第２のフローＩＤが存在しなくてもよい。
【００５７】
もちろん、本開示の具体的な実施例において、第２のフローＩＤフィールドは必須のフィールドであってもよく、この場合にも、第２のフローＩＤが必要である。
【００５８】
第２のフローＩＤを送信する必要があれば、ＰＤＵパッケージを形成するとき、第１のフローＩＤによって、構成テーブルからそれに対応する第２のフローＩＤと太陽するＤＲＢ  ＩＤを検索する。
【００５９】
本開示の具体的な実施例において、前記ＱｏＳ  Ｆｌｏｗを少なくとも１つのＤＲＢにマッピングして、ＰＤＵパッケージを取得するステップでは、ＱｏＳ  ＦｌｏｗとＤＲＢが多対１のマッピングである場合、前記ＰＤＵパッケージには前記第２のフローＩＤを搬送する。
【００６０】
上記からわかるように、ＱｏＳ  ＦｌｏｗとＤＲＢが多対１のマッピングである場合、ＰＤＵパッケージには第２のフローＩＤを搬送する必要がある。重複を避けるために、それらを繰り返して説明しない。
【００６１】
本開示の実施例において、第１のフローＩＤと第２のフローＩＤとの間のマッピング関係を介して、データ伝送中でビット位を長く占めるフローＩＤをビット位を短く占めるフローＩＤに変換して伝送する。フローＩＤのビット数が短縮されたため、本開示は、システムオーバーヘッドを低減する有利な効果を有する。
【００６２】
以下、図２-２に合わせてさらに説明する。
【００６３】
図２-２に示されたように、新しいＡＳサブレイヤが、ＱｏＳフロー識別子がそれぞれ０〜８の９つのＱｏＳフローを受信したとき、予め設定された前記第１のフローＩＤと前記第２のフローＩＤ及びＤＲＢ  ＩＤの組み合わせとの間の１対１の対応関係に従って、０〜８の９つのＱｏＳフローの中で、ＱｏＳフロー識別子０〜２の３つのＱｏＳフローが第０番目のＤＲＢにマッピングされ、ＱｏＳフロー識別子３〜６の４つのＱｏＳフローが第１番目ＤＲＢにマッピングされ、ＱｏＳフロー識別子７〜８の２つのＱｏＳフローが第２番目ＤＲＢにマッピングされ、ＤＲＢ内部のマッピングされたＱｏＳフローの第２のフロー識別子は、それぞれに０、１、２、０、１、２、３、０、１である。
【００６４】
本開示の実施例の方法を使用することにより、ＰＤＵパッケージで搬送した第２のフローＩＤフィールドは、２ビットしか必要せず、元々必要とした４ビットより小さく、システムオーバーヘッドを低減したことがわかることができる。
【００６５】
図３を参照すると、図３は、本開示の別の実施例によって提供されたデータ伝送方法であり、以下のステップ３０１ないし３０３を含む。
【００６６】
ステップ３０１において、ＤＲＢにマッピングされたＱｏＳフローを搬送するＰＤＵパッケージを受信する。
【００６７】
当該ステップにおいて、ＳＤＡＰレイヤは、ＱｏＳフローを搬送するＰＤＵパッケージを受信することができる。ここで、ＱｏＳフローはＤＲＢにマッピングされたフローであり、またＱｏＳフローには、第１のフローＩＤ（即ち、ＱｏＳフローＩＤ）を搬送する。つまり、ＳＤＡＰレイヤの受信機能部分が上位レイヤに提出したＱｏＳフローにもＱｏＳフローＩＤを搬送する。
【００６８】
ステップ３０２において、前記ＱｏＳフローを取得する。
当該ステップにおいて、ＤＲＢがＳＤＡＰレイヤに認識されたため、ＳＤＡＰレイヤは、ＤＲＢとＱｏＳフローのマッピング関係を介して、ステップ３０１で受信したＰＤＵパッケージからＱｏＳフローを取得することができる。
【００６９】
ステップ３０３において、前記ＰＤＵパッケージで搬送した前記ＱｏＳフローに対応する第２のフローＩＤ及びＤＲＢ  ＩＤによって前記ＱｏＳフローの第１のフローＩＤを取得することができ、前記第１のフローＩＤと前記第２のフローＩＤ及びＤＲＢ  ＩＤの組み合わせとは１対１の対応関係を有する。
【００７０】
当該ステップにおいて、ＳＤＡＰレイヤは、ＰＤＵパッケージで搬送したＱｏＳフローに対応する第２のフローＩＤとＤＲＢ  ＩＤによって、ＱｏＳフローの第１のフローＩＤを取得することができる。ＳＤＡＰレイヤは、第２のフローＩＤとＤＲＢ  ＩＤの解析を介して、第１のフローＩＤを取得することのように理解することができる。
【００７１】
以下、図３-１に合わせてさらに説明する。
【００７２】
図３-１に示されたように、新しいＡＳサブレイヤが３つのＤＲＢを受信したとき、第１番目ＤＲＢ中には、３つのＳＤＡＰフローがマッピングされ、番号がそれぞれ０、１及び２であり、第２番目ＤＲＢには、４つのＳＤＡＰフローがマッピングされ、番号がそれぞれ０、１、２及び３であり、第３番目ＤＲＢには、２つのＳＤＡＰフローがマッピングされ、番号がそれぞれ０及び１である。このとき、新しいＡＳサブレイヤは、予め設定された前記第１のフローＩＤと前記第２のフローＩＤ及びＤＲＢ  ＩＤの組み合わせとの間の１対１の対応関係に従って、対応する９つのＱｏＳフローのＱｏＳフローＩＤがそれぞれ０、１、２、３、４、５、６、７及び８であることを決定することができる。
【００７３】
本開示の実施例の方法を使用することによって、ＰＤＵパッケージで搬送した第２のフローＩＤフィールドは、２ビットだけ必要し、元々必要とした４ビットより小さく、システムオーバーヘッドを低減したことがわかることができる。
【００７４】
残りはすべて図２に示された具体的な実施例を参照することができ、重複を避けるために、ここでは繰り返して説明しない。
【００７５】
選択的に、前記サービス品質フローを取得することは、具体的に、前記ＰＤＵパッケージを解析して、マッピングされた且つ１つのデータ無線ベアラのみにマッピングされた各サービス品質フローを取得することを含み、
前記プロトコルデータユニットパッケージで搬送される前記サービス品質フローに対応する第２のフローＩＤ及びデータ無線ベアラＩＤに従って、前記サービス品質フローの第１のフローＩＤを取得するステップは、具体的に、
各サービス品質フローの前記ＰＤＵパッケージに記載された第２のフローＩＤフィールドの第２のフローＩＤと、前記サービス品質フローを搬送するＤＲＢ  ＩＤとを取得することと、
前記１対１の対応関係に従って、取得された第２のフローＩＤとＤＲＢ  ＩＤに対応する第１のフローＩＤを決定することと、
前記第２のフローＩＤフィールドの長さはｎビットであり、ｎは、２^ｎが、データ無線ベアラで搬送できる最大サービス品質フロー数の整数中の最小値より大きいか等しいことを満足することとを含む。
【００７６】
選択的に、前記第２のフローＩＤフィールドは、前記ＰＤＵパッケージの先頭または末尾に配置され、及び／または、
前記第２のフローＩＤフィールドは、上位ビットまたは下位ビットに位置する。
【００７７】
選択的に、前記第２のフローＩＤフィールドは、前記ＰＤＵパッケージの先頭の１つ以上のバイトを個別に構成し、または
前記第２のフローＩＤフィールドと他のフィールドが前記ＰＤＵパッケージの先頭の１つ以上のバイトを構成する。
【００７８】
選択的に、新しいＡＳサブレイヤエンティティを構築または変更するプロセスで、構成記録前記第１のフローＩＤと前記第２のフローＩＤ及びＤＲＢ  ＩＤの組み合わせとの間の１対１の対応関係を記録する構成テーブルを構成すること、または、
ＲＲＣシグナリングを介して前記構成テーブルを構成することをさらに含む。
【００７９】
選択的に、前記構成テーブルは、ＲＲＣによって新しいＡＳサブレイヤを再構成するプロセスで変更されることをさらに含む。
【００８０】
選択的に、前記ＱｏＳフローを取得した後、ＱｏＳフローとＤＲＢが多対１のマッピングであるかどうかを判定することと、
ＱｏＳフローとＤＲＢが多対１のマッピングであるときのみ、前記ＱｏＳフローの第１のフローＩＤを取得するステップをトリガすることをさらに含む。
【００８１】
図４を参照すると、図４は、本開示のある実施例によって提供された新しいＡＳサブレイヤエンティティであり、新しいＡＳサブレイヤエンティティ４００は、
第１のフローＩＤを有するＱｏＳ  Ｆｌｏｗを受信するためのＱｏＳフロー受信モジュール４０１と、
ＱｏＳ  Ｆｌｏｗを少なくとも１つのＤＲＢにマッピングして、ＰＤＵパッケージを取得するＰＤＵパッケージ取得モジュール４０２であって、前記ＰＤＵパッケージには、ＱｏＳ  Ｆｌｏｗに対応する第２のフローＩＤが搬送され、前記第１のフローＩＤと前記第２のフローＩＤ及びＤＲＢ  ＩＤの組み合わせと１対１の対応関係を有するためのＰＤＵパッケージ取得モジュール４０２と、
前記ＰＤＵパッケージを送信するためのＰＤＵパッケージ送信モジュール４０３とを含む。
【００８２】
選択的に、ＰＤＵパッケージ取得モジュール４０２は、具体的に、
前記１対１の対応関係に従って、各サービス品質フローを１つの且つ１つだけのデータ無線ベアラにマッピングすることと、
前記１対１の対応関係に従って、同じデータ無線ベアラで搬送される異なるサービス品質フローに、異なる第２のフローＩＤを割り当て、前記ＰＤＵパッケージ中の前記第２のフローＩＤを記録する第２のフローＩＤフィールドの長さはｎビットであり、ｎは、２^ｎが、データ無線ベアラで搬送できる最大サービス品質フロー数の整数中の最小値より大きいか等しいことを満足することに使用される。
【００８３】
選択的に、前記第２のフローＩＤフィールドは、前記ＰＤＵパッケージの先頭または末尾に設定され、及び／または、
前記第２のフローＩＤフィールドは、上位ビットまたは下位ビットに位置する。
【００８４】
選択的に、前記第２のフローＩＤフィールドは、前記ＰＤＵパッケージの先頭の１つ以上のバイトを個別に構成し、または、
前記第２のフローＩＤフィールドと他のフィールドは、前記ＰＤＵパッケージの先頭の１つ以上のバイトを構成する。
【００８５】
選択的に、図５に示されたように、新しいＡＳサブレイヤエンティティ４００は構成テーブル構成モジュール４０４をさらに含み、該構成テーブル構成モジュール４０４は、
新しいＡＳサブレイヤエンティティを構築または変更するプロセスで、前記第１のフローＩＤと前記第２のフローＩＤ及びＤＲＢ  ＩＤの組み合わせとの間の１対１の対応関係を記録する構成テーブルを構成すること、または、
ＲＲＣシグナリングによって前記構成テーブルを構成することに使用される。
【００８６】
選択的に、図６に示されたように、新しいＡＳサブレイヤエンティティ４００は、前記構成テーブルは、ＲＲＣによって新しいＡＳサブレイヤを再構成するプロセスで変更されるための構成テーブル変更モジュール４０５をさらに含む。
【００８７】
選択的に、前記ＰＤＵパッケージ取得モジュール４０２は、具体的に、
現在処理待ちのＱｏＳ  Ｆｌｏｗの第１のフローＩＤを取得することと、
前記第１のフローＩＤと前記第２のフローＩＤ及びＤＲＢ  ＩＤの組み合わせとの間の１対１の対応関係に従って、現在処理待ちのＱｏＳ  Ｆｌｏｗ的第１のフローＩＤに対応する第２のフローＩＤ及びＤＲＢ  ＩＤを決定することと、
前記現在処理待ちのＱｏＳ  Ｆｌｏｗを、前記ＤＲＢ  ＩＤが指示したＤＲＢにマッピングし、現在処理待ちのＱｏＳ  Ｆｌｏｗに対応する第２のフローＩＤフィールドを前記第２のフローＩＤフィールドに割り当てて、前記ＰＤＵパッケージを取得することに使用される。
【００８８】
選択的に、ＱｏＳ  ＦｌｏｗとＤＲＢが多対１のマッピングである場合、前記ＰＤＵパッケージには前記第２のフローＩＤを搬送する。
【００８９】
図７を参照すると、図７は、本開示の別の実施例によって提供された新しいＡＳサブレイヤエンティティであり、新しいＡＳサブレイヤエンティティ７００は、
データ無線ベアラにマッピングされたサービス品質フローを搬送するプロトコルデータユニットパッケージを受信するためのＰＤＵパッケージ受信モジュール７０１と、
前記サービス品質フローを取得するためのＱｏＳフロー取得モジュール７０２と、
前記プロトコルデータユニットパッケージで搬送される前記サービス品質フローに対応する第２のフローＩＤ及びデータ無線ベアラＩＤに従って、前記サービス品質フローの第１のフローＩＤを取得するための第１のフローＩＤ取得モジュール７０３とを含み、
前記第１のフローＩＤは、前記第２のフローＩＤ及びデータ無線ベアラＩＤの組み合わせと１対１の対応関係を有する。
【００９０】
選択的に、ＱｏＳフロー取得モジュール７０２は、具体的に、前記ＰＤＵパッケージを解析して、マッピングされた且つ１つのデータ無線ベアラのみにマッピングされた各サービス品質フローを取得することに使用され、
第１のフローＩＤ取得モジュール７０３は、具体的に、
各サービス品質フローの前記ＰＤＵパッケージに記載された第２のフローＩＤフィールドの第２のフローＩＤと、前記サービス品質フローを搬送するＤＲＢ  ＩＤとを取得することと、
前記１対１の対応関係に従って、取得された第２のフローＩＤとＤＲＢ  ＩＤに対応する第１のフローＩＤを決定することと、
前記第２のフローＩＤフィールドの長さはｎビットであり、ｎは、２^ｎが、データ無線ベアラで搬送できる最大サービス品質フロー数の整数中の最小値より大きいか等しいことを満足することに使用される。
【００９１】
選択的に、前記第２のフローＩＤフィールドは、前記プロトコルデータユニットパッケージの先頭または末尾に設定され、及び／または
前記第２のフローＩＤフィールドは、上位ビットまたは下位ビットに位置する。
【００９２】
選択的に、前記第２のフローＩＤフィールドは、前記プロトコルデータユニットパッケージの先頭の１つ以上のバイトを個別に構成し、または、
前記第２のフローＩＤフィールドと他のフィールドは、前記プロトコルデータユニットパッケージの先頭の１つ以上のバイトを構成する。
【００９３】
選択的に、図８に示されたように、新しいＡＳサブレイヤエンティティ７００は構成テーブル構成モジュール７０４をさらに含み、該構成テーブル構成モジュール７０４は、
新しいＡＳサブレイヤエンティティを構築または変更するプロセスで、前記第１のフローＩＤと前記第２のフローＩＤ及びデータ無線ベアラＩＤの組み合わせとの間の１対１の対応関係を記録する構成テーブルを構成すること、または、
前記構成テーブルは、ＲＲＣシグナリングによって構成されることに使用される。
【００９４】
選択的に、図９に示されたように、新しいＡＳサブレイヤエンティティ７００は、前記構成テーブルはＲＲＣによって新しいＡＳサブレイヤを再構成するプロセスで変更されるための構成テーブル変更モジュール７０５をさらに含む。
【００９５】
選択的に、図１０に示されたように、新しいＡＳサブレイヤエンティティ７００は判定モジュール７０６をさらに含み、該判定モジュール７０６は、
前記サービス品質フローを取得した後、サービス品質フローとデータ無線ベアラとが多対１のマッピングであるかどうかを判定すること、
サービス品質フローとデータ無線ベアラとが多対１のマッピングであるときのみ、前記第１のフローＩＤ取得モジュールをトリガすることに使用される。
【００９６】
図１１を参照すると、図１１は、本開示のある実施例によって提供された第１のプロセッサ１１００及び第１のメモリ１１１０を含む新しいＡＳサブレイヤエンティティを提供し、
第１のプロセッサ１１００は、メモリ１１１０中のプログラムを読み取って、
第１のフローＩＤを有するＱｏＳフローを受信することと、
ＱｏＳフローを少なくとも１つのＤＲＢにマッピングして、ＰＤＵパッケージを取得し、ここで、前記ＰＤＵパッケージにはＱｏＳフローに対応する第２のフローＩＤが搬送され、前記第１のフローＩＤは、前記第２のフローＩＤ及びＤＲＢ  ＩＤの組み合わせと１対１の対応関係を有することと、
前記ＰＤＵパッケージを送信することのようなプロセスを実行するように構成される。
【００９７】
図１２を参照すると、図１２は、本開示の別の実施例によって提供された第２のプロセッサ１２００及び第２のメモリ１２１０を含む新しいＡＳサブレイヤエンティティを提供し、
第１のプロセッサ１２００は、メモリ１２１０中のプログラムを読み取って、
ＤＲＢにマッピングされたＱｏＳフローを搬送するＰＤＵパッケージを受信することと、
前記ＱｏＳフローを取得することと、
前記ＰＤＵパッケージで搬送される前記ＱｏＳフローに対応する第２のフローＩＤ及びＤＲＢ  ＩＤに従って、前記ＱｏＳフロー的第１のフローＩＤを取得し、ここで、前記第１のフローＩＤは、前記第２のフローＩＤ及びＤＲＢ  ＩＤの組み合わせと１対１の対応関係を有することのようなプロセスを実行するように構成される。
【００９８】
他の態様によれば、本開示の別の実施例は、さらに、コンピュータプログラムが格納されたコンピュータ読み取り可能な記憶媒体を提供し、前記コンピュータプログラムがプロセッサによって実行されるとき、本開示によって提供された新しいＡＳサブレイヤエンティティに対応するデータ伝送方法中のステップを具現する。
【００９９】
上記は本開示の選択可能な実施形態であり、当業者は、本開示に記載の原理を逸脱することない前提の下で、いくつかの改善及び修飾を行うことができることに留意されたい。これらの改善及び修飾も本開示の保護範囲と見なされるべきである。
【図１】
0006864783.tif 000003
【図２】
0006864783.tif 000004
【図２−１】
0006864783.tif 000005
【図２−２】
0006864783.tif 000006
【図３】
0006864783.tif 000007
【図３−１】
0006864783.tif 000008
【図４】
0006864783.tif 000009
【図５】
0006864783.tif 000010
【図６】
0006864783.tif 000011
【図７】
0006864783.tif 000012
【図８】
0006864783.tif 000013
【図９】
0006864783.tif 000014
【図１０】
0006864783.tif 000015
【図１１】
0006864783.tif 000016
【図１２】
0006864783.tif 000017